(57)【特許請求の範囲】
【請求項１】
複数の吐水孔を有するシャワー板と、
前記シャワー板の吐水孔と対応する開口が形成され、前記シャワー板の吐水孔が前記開口から突出されるシャワー板ガイドと、
前記シャワー板の吐水孔に対応する給水孔が形成され、前記シャワー板を押圧し固定するシャワー板押さえと、
前記シャワー板、前記シャワー板ガイド及び前記シャワー板押さえがそれぞれ装着されるヘッド部と、前記ヘッド部と一体に形成され内部に通水路を有する把持部と、を有するヘッド本体と、
を備えたシャワーヘッドにおいて、
前記シャワー板押さえは、前記ヘッド部の内壁面と当接される当接部が形成され、前記当接部以外の部分は、前記給水孔と通水される導水路となされ、
前記ヘッド部の内壁面と前記シャワー板押さえとの間には、シートパッキンが設けられていることを特徴とするシャワーヘッド。
【請求項２】
前記当接部は、複数が環状に、かつ同心円状に設けられ、
前記複数の環状の当接部には、それぞれの環状の当接部の間に形成された導水路を連通させる貫通孔が少なくとも１つ形成されていることを特徴とする請求項１に記載のシャワーヘッド。
【請求項３】
前記シャワー板、前記シャワー板ガイド及び前記シャワー板押さえは、一体に形成されていることを特徴とする請求項１又は２に記載のシャワーヘッド。
【発明の詳細な説明】
【技術分野】
【０００１】
本発明はシャワーヘッドに関し、詳しくは、吐水時にシャワーヘッド内に備えられたシャワー板にかかる水圧を緩和する構造を備えたシャワーヘッドに関する。
【背景技術】
【０００２】
従来、シャワーヘッドは、主に複数の吐水孔を有する板状のシャワー板と、把持部とヘッド部が一体となった本体部分とで構成されている。このようなシャワーヘッドに通水した場合、シャワー板は本体内部を通水する動水圧による荷重を受けることになる。特に節水の効果を目的としたシャワーヘッドでは、吐水される水の流速を早くするために吐水孔が小さく形成され、また、その数も少ないことが必要とされ、さらに、広範囲に吐水できるようにするために、シャワー板の面積を大きく形成することが必要とされている。その結果、シャワー板全体で受ける水圧が増大することとなり、シャワー板の破損、脱落等の要因となり、シャワーヘッドの寿命を縮めるという問題がある。
【０００３】
このような問題を解決するため、例えば、下記特許文献１には、内圧を下げ、シャワー装置の破損を防ぐ発明が開示されている。すなわち、下記特許文献１に開示されているシャワー装置７０は、図１２に示すように、シャワーヘッド本体７１内に１次側と区画されると共に２次側を開放した筒状の隔壁７５を形成し、この隔壁７５に弁口７６を開設しており、この弁口７６には２次側より常時ばね７７で付勢された弁体７８が臨んでおり、多数の開孔７３が設けられた散水板７４はシャワー本体７１の出口７２と共に隔壁７５の開放端を覆うようにシャワー本体７１に取付けられている。
【０００４】
このような構成とすることで、下記特許文献１のシャワー装置では、水圧が低い場合には、図１２Ａに示すように、弁口７６が弁体７８で塞がれており、水は隔壁７５の外側に位置する開孔７３より噴出するが、水圧が高くなるに従って、図１２Ｂに示すように、水圧により弁体７８がばね７７の付勢力に抗して開弁側に移動し、水は隔壁７５の外側に位置する開孔７３に加えて隔壁７５の内部空間７９を通過して隔壁７５の内側に位置する開孔７３からも噴出するようになり、その結果、シャワー装置の内圧を下げシャワー装置の破損を防ぐことができるとされている。
【０００５】
また、下記特許文献２には、散水板に過剰な圧力が作用しないようにしたシャワーヘッドの発明が開示されている。すなわち、下記特許文献２のシャワーヘッドは、入口と出口を備えたシャワーヘッド本体の出口部分に、金属薄板にて形成されるとともに多数個の散水孔をエッチング加工により形成し、この総開口面積を小さくして節水構造とした散水板を取り付け、この散水板の上流側に、金属薄板にて形成されるとともに多数の小孔をエッチング加工により開口し、これら小孔の総開口面積をシャワーヘッド本体の最小通水路面積よりも小さくした制水板を取付けたとされている。
【０００６】
このようにすることで、下記特許文献２のシャワーヘッドによれば、散水板の上流側に総開口面積を最小通水路面積より小さくした制水板を設けると、制水板でも流れを堰き止めるので流量を絞るようになり、節水作用が生じるとともに、散水板の上流側で一旦流量を絞ることができるため散水板に作用する圧力を減じることができ、散水板に加わる力を抑制することができるとされ、水道水圧が高い場所や水圧が高い時間中に使用しても、散水板に変形が生じるなどの不具合を防止することができるとされている。
【先行技術文献】
【特許文献】
【０００７】
【特許文献１】特開２０００−２７９３３８号公報
【特許文献２】実用新案登録第３１５００７６号公報
【発明の概要】
【発明が解決しようとする課題】
【０００８】
上記特許文献１に開示されているシャワー装置によれば、水圧の上昇に伴って、シャワー装置内の水を逃がすことで、シャワー装置内の水圧を下げることができる。しかし、減圧手段としての弁機構は構造が複雑であり、また、ばね等に不具合が生じた場合、散水板全体で水圧を受けるため、シャワー装置内の減圧が困難となり、故障の原因となる。さらに、シャワー本体内の空間が大きいため、その部分に滞留する水が、止水後に流れ出るおそれもある。
【０００９】
また、上記特許文献２に開示されているシャワーヘッドでは、散水板自体にかかる水圧は緩和されるが、上流側に設けられた制水板には、従来と同じ水圧がかかり、この水圧は制水板の全面で受けることとなるため、制水板の破損のおそれがある。さらに、上記特許文献１と同様に、止水後に広がり室内に滞留した水が流れ出るおそれがある。
【００１０】
また、大きな水圧に耐えることができるようにシャワー板自身の強度を増し、シャワー板を本体に取付ける構造も強固にするとなると、製造コストの増加やデザイン性を損なうなどの課題がある。
【００１１】
そこで、発明者等は、従来技術の問題点を解決すべく種々実験を繰り返した結果、シャワーヘッドに装着されるシャワー板押さえの一部分と、ヘッド部の内壁面とを接触させるようにし、この接触した部分に水圧がかからないようにすることで、シャワー板全体に水圧をかけないようにすることができることを見出し、本発明を完成するに至ったのである。
【００１２】
すなわち、本発明の目的は、シャワー板にかかる水圧が緩和され、シャワー板の破損や脱落を抑制し、さらに液垂れを抑制し、しかも、デザインの自由度の高いシャワーヘッドを提供することを目的とする。
【課題を解決するための手段】
【００１３】
上記課題を解決するために、本発明の第１の態様のシャワーヘッドは、
複数の吐水孔を有するシャワー板と、
前記シャワー板の吐水孔と対応する開口が形成され、前記シャワー板の吐水孔が前記開口から突出されるシャワー板ガイドと、
前記シャワー板の吐水孔に対応する給水孔が形成され、前記シャワー板を押圧し固定するシャワー板押さえと、
前記シャワー板、前記シャワー板ガイド及び前記シャワー板押さえがそれぞれ装着されるヘッド部と、前記ヘッド部と一体に形成され内部に通水路を有する把持部と、を有するヘッド本体と、
を備えたシャワーヘッドにおいて、
前記シャワー板押さえは、前記ヘッド部の内壁面と当接される当接部が形成され、前記当接部以外の部分は、前記給水孔と通水される導水路となされ、
前記ヘッド部の内壁面と前記シャワー板押さえとの間には、シートパッキンが設けられていることを特徴とする。
【００１４】
また、第２の態様のシャワーヘッドは、第１の態様のシャワーヘッドにおいて、
前記当接部は、複数が環状に、かつ同心円状に設けられ、
前記複数の環状の当接部には、それぞれの環状の当接部の間に形成された導水路を連通させる貫通孔が少なくとも１つ形成されていることを特徴とする。
【００１６】
また、第３の態様のシャワーヘッドは、第１又は２の態様のシャワーヘッドにおいて、前記シャワー板、前記シャワー板ガイド及び前記シャワー板押さえは、一体に形成されていることを特徴とする。
【発明の効果】
【００１７】
本発明の第１の態様のシャワーヘッドでは、シャワー板押さえに形成された当接部は、ヘッド部の内壁面と当接されているので、この当接した部分には、シャワー使用時に水が進入しないため水圧がかからず、その結果、シャワー板にもこの当接部が形成された部分には水圧がかかることがなくなる。そのため、本発明の第１の態様のシャワーヘッドによれば、シャワー板全体にかかる水圧を減らすことができ、シャワーヘッドの故障や損傷を抑制し、長く使用することができると共に、大きな水圧に耐える構造とする必要もなくなるので、デザインや設計の自由度を増やすことができる。
【００１８】
さらに、本発明の第１の態様のシャワーヘッドによれば、ヘッド部内部の空間に当接部が形成されることで、ヘッド部内部の空間が小さくなっているため、ヘッド部内部の空間に滞留される水の量を減らすことができ、シャワー止水後にこの滞留された水が流れ続けることを抑制することができる。加えて、節水の効果を高めるために、吐水孔の径を小さくしたり、吐水孔が形成される個数を少なくしたりした場合や、シャワーを広範囲に吐水するためにシャワー板の面積を大きくした場合でも、シャワー板全体にかかる水圧を減らすことができるようになる。
また、本発明の第１の態様のシャワーヘッドでは、ヘッド部の内壁面とシャワー板押さえの間にシートパッキンが設けられているため、シャワーヘッド押さえの当接部は、シートパッキンを挟んでヘッド部の内壁面に当接することとなる。そのため、本発明の第１の態様のシャワーヘッドによれば、当接部とヘッド部の内壁面との間に水が浸入することをさらに抑制することができるので、当接部が形成された部分に対応するシャワー板には水圧がかかることをより抑制することができるようになる。さらに、シートパッキンを挟むことで、シャワー板押さえがシャワー板をより確実に押圧させることができるので、水漏れや吐水不良を抑制することができる。
【００１９】
また、本発明の第２の態様のシャワーヘッドによれば、複数の当接部が環状かつ同心円状に形成されているため、当接部間に形成される導水路も環状に形成されることとなり、シャワー板にかかる水圧は導水路から環状に水圧を受けるため均等に分散することができるため、シャワー板の故障及び損傷をさらに抑制することができる。そして、これらの導水路はこれらを貫通する少なくとも１つの貫通孔で連通されているので、すべての導水路に効率よく液体を導くことができる。
【００２１】
また、本発明の第３の態様のシャワーヘッドによれば、シャワー板、シャワー板ガイド及びシャワー板押さえは一体に形成されているので、この一体に形成された部材を装着させればよいので、製造を容易に行うことができる。
【図面の簡単な説明】
【００２２】
【図１】実施形態にかかるシャワーヘッドの正面図である。
【図２】図１のII−II線での断面図である。
【図３】図３Ａはシャワー板の正面図であり、図３Ｂは図３ＡのIIIＢ−IIIＢ線での断面図であり、図３Ｃは図３ＢのIIIＣ部の拡大図であり、図３Ｄは図３ＢのIIIＤ部の拡大図である。
【図４】図４Ａはシャワー板ガイドの正面図でありであり、図４Ｂはシャワー板ガイドの側面図であり、図４Ｃはシャワー板ガイドの背面図であり、図４Ｄは図４ＣのIVＤ−IVＤ線での断面図であり、図４Ｅは図４ＣのIVＥ部の拡大図である。
【図５】図５Ａはシャワー板押さえの正面図であり、図５Ｂは図５Ａの矢印ＶＢの方向から見た側面図であり、図５Ｃは図５Ａの矢印ＶＣの方向から見た側面図である。
【図６】図６Ａはシャワー板押さえの背面図であり、図６Ｂは図６ＡのVIＢ−VIＢ線での断面図であり、図６Ｃは図６ＡのVIＣ−VIＣ線での断面図であり、図６Ｄは図６ＡのVIＤ−VIＤ線での断面図である。
【図７】図７Ａはヘッド本体の正面図であり、図７Ｂは図７ＡのVIIＢ−VIIＢ線での断面図である。
【図８】図８Ａはシートパッキンの正面図であり、図８Ｂは図８ＡのVIIIＢ−VIIIＢ線での断面図である。
【図９】図９Ａはシャワーヘッドの液体の流れを示した図２に対応する拡大断面図であり、図９Ｂは図９ＡのIXＢ部の拡大図である。
【図１０】図１０Ａは導水路内の液体の流れを示した平面図であり、図１０Ｂは図１０ＡのＸＢ−ＸＢ線での断面図である。
【図１１】シャワーヘッド内にかかる圧力を示した図２に対応する拡大断面図である。
【図１２】図１２Ａ及び図１２Ｂは従来技術を示す図である。
【発明を実施するための形態】
【００２３】
以下、本発明を実施するための形態について、実施形態及び図面を参照しながら詳細に説明する。ただし、以下に示す実施形態は、本発明の技術思想を具体化するための一例を示すものであって、本発明をこの実施形態に記載されたシャワーヘッドに特定することを意図するものではなく、本発明は特許請求の範囲に含まれるその他の実施形態のものにも等しく適応し得るものである。
【００２４】
［実施形態］
図１〜図１１を参照して実施形態にかかるシャワーヘッドについて説明する。図１に示すように、実施形態にかかるシャワーヘッド１０は、供給された液体をシャワー状に放出する吐水部１１と、水栓等の液体供給装置から供給される液体を吐水部１１まで送る通水路１２ａを有する把持部１２と、水栓等の液体供給装置が有するホース等が接続される接続装置１３ａを有する接続部１３とで構成されている。以下、これらを構成する各部品について説明する。
【００２５】
図２に示すように吐水部１１は、各構成部品が装着されるヘッド本体１７と、液体をシャワー状に放出させる複数の吐水孔２３を有するシャワー板１４と、シャワー板１４とヘッド本体１７との間に設けられシャワー板１４が押圧され固定されるシャワー板押さえ１６と、シャワー板１４の吐水孔２３をガイドしヘッド本体１７に固定するシャワー板ガイド１５と、ヘッド本体１７とシャワー板押さえ１６との間に介されるシートパッキン１８とで構成され、これらの各部品は、中央部をねじ１９によりねじ止めされ固定されている。なお、ヘッド部５９の中央には、ねじ頭１９ａを覆い隠すと共に液体の侵入を抑制するキャップ２０が装着されている。
【００２６】
シャワー板１４は、図３Ａに示すように、所定径を有する円板体２２に液体を吐出させる複数個の吐水孔２３が同心円状に一定の間隔を設けて形成されている。ここで、シャワー板は、液体が吐出される面を表面２４、液体が供給される面を裏面２５とする。この吐水孔２３は、図３Ｂに示すように、シャワー板１４の裏面側に形成された部分の径が広く、シャワー板１４の表面に行くにしたがって徐々に径が狭くなるような形状で、円板体２２から突起状に形成されている。このようにすることで、供給される液体の流速を早めて吐出させることができるようになる（図３Ｃ、図３Ｄ参照）。また、シャワー板１４の表面２４の吐水孔２３が形成されていない平坦な部分は、シャワーヘッド１０が組み立てられるときシャワー板ガイド１５の一部と接触し、固定される接触面２６となる。一方、シャワー板１４の裏面２５の吐水孔２３が形成されていない部分は、シャワー板押さえ１６に圧着される圧着面２７となる。さらに、シャワー板１４の中央部には、シャワー板ガイド１５の一部が挿入される中心開口２８が形成されている。
【００２７】
次に、シャワー板ガイド１５は、図４Ａ〜図４Ｄに示すように、複数個の開口３０が形成された円形のガイド部材２９と、このガイド部材２９の周囲から立設した環状の側面３３とで形成されている。ガイド部材２９は、円形の平板体で形成され、中央部がやや隆起して、外周に行くにしたがって低くなっている。また、ガイド部材２９に形成された複数個の開口３０は、シャワー板１４に形成された吐水孔２３と同じ数で、吐水孔２３に対応する位置に形成されている。すなわち、シャワーヘッド１０が組み立てられるときこの開口３０にシャワー板１４の吐水孔２３がガイド部材２９の表面３１から突出されることとなる。また、ガイド部材２９の内面３２は、シャワー板１４の接触面２６と接触する部分となる。
【００２８】
シャワー板ガイド１５の側面３３の外側３４には、Ｏリング２１が装着されるＯリング溝３５が形成されている。このＯリング溝３５は、所定高さの環状の突起３６を設けることで形成されている。また、側面３３の長手方向の略中央部には、対向する４箇所に細長い係合溝３７が開けられている。この係合溝３７は、シャワーヘッド１０が組み立てられるときに、シャワー板押さえ１６が取り付けられる部分となる。さらに、側面のガイド部材２９と反対側の端部には対向する４箇所に所定長さの係止突起３８が形成されている。この係止突起３８は、シャワーヘッド１０を組み立てるときにヘッド本体１７と係止される部分となる。
【００２９】
一方、シャワー板ガイド１５の側面３３の内側４０には、ガイド部材２９とは反対側の端部に、対向する２箇所に切れ込み４１が形成されている。この切れ込み４１は、シャワーヘッド１０の組み立てのときシャワー板押さえ１６の一部が嵌合し位置決めがされる部分となる。
【００３０】
また、ガイド部材２９の中央部分には、ガイド部材２９の一部を凹状に形成した有底の筒状部４２が設けられ、この底部の中央にはねじ１９が貫通されるねじ孔４３が形成されている。さらに、この筒状部４２はシャワー板押さえ１６と組み合わされたとき、シャワー板押さえ１６と嵌合される部分にもなる。
【００３１】
次に、シャワー板押さえ１６は、図５Ａ〜図５Ｃ及び図６Ａ〜図６Ｄに示すように、所定厚さを有する円柱体４４で形成されている。ここで、シャワー板押さえ１６は、液体が排出される面を表面４５、液体が供給される面を裏面４７とする。この円柱体４４の表面４５には、複数個の給水孔４６が形成されている。この給水孔４６は、シャワー板１４に形成される吐水孔２３と同じ数で、且つこの吐水孔２３に対応する位置に形成されている。そして、この表面４５は、シャワーヘッド１０が組み立てられるときシャワー板１４の圧着面２７と圧着される。
【００３２】
また、シャワー板押さえ１６の側面５０には、シャワー板ガイド１５と係合される係合突起５１が対向する位置に４箇所形成されている。さらに、この側面５０には、シャワー板ガイド１５と嵌合される嵌合突起５４も対向する位置に２箇所形成されている。また、側面５０には、シャワー板押さえ１６を略中央部分まで貫通する貫通孔５５が形成されている。
【００３３】
さらに、シャワー板押さえ１６の裏面４７には、同心円状に複数本の導水路４８が形成されている。この導水路４８は、所定の高さを有する環状の壁部材４９が複数本形成され、その隙間が導水路４８となっている。なお、複数本の壁部材４９のうち、最外周に形成される壁部材４９ａは他の壁部材に比べて高さが低く形成されており、この部分から最外周の導水路４８ａに液体が流入することとなる。また、この複数の導水路４８は、側面５０から最深部の導水路４８ｂまでを貫通して形成された貫通孔５５で連通されており、すべての導水路４８が繋がって形成されている。そして、この環状に形成された導水路４８に沿って、複数個の給水孔４６が形成されている。
【００３４】
また、シャワー板押さえ１６の裏面４７における導水路４８を形成している壁部材４９の頂上部分は、シャワーヘッド１０を組み立てるときにヘッド本体１７と当接する当接部５２となっている。
【００３５】
さらに、シャワー板押さえ１６の表面の中央部には、円形の凹状に形成された有底の第１凹み部５６が形成され、この第１凹み部５６にシャワー板ガイド１５の中央の筒状部４２が嵌合される。一方、シャワー板押さえ１６の裏面の中央部にも、円形の凹状に形成された有底の第２凹み部５７が形成されている。この第２凹み部５７には、後述するヘッド部５９の固定軸６１が嵌合される。また、第１凹み部５６と第２凹み部５７の底は共有され、その中心部にはねじ１９が挿通されるねじ孔５８が形成されている。
【００３６】
次にヘッド本体１７は、図７Ａ及び図７Ｂに示すように、各構成部品が収容され装着されるヘッド部５９と、内部に通水路１２ａを有する把持部１２と、接続装置１３ａを備えた接続部１３とで形成されている。
【００３７】
ヘッド部５９は、円形の底板部６０を有し、この底板部６０周辺から立設された環状の側壁６４で構成されている。底板部６０の中央部分には、各構成部品を装着させ固定させるための固定軸６１が形成されており、この固定軸６１の中心には、ねじ１９を螺合するためのねじ孔６２が形成されている。ヘッド部５９の底板部６０の内側の面は、シャワー板押さえ１６の当接部５２が当接される内壁面６３となっている。
【００３８】
また、ヘッド部５９の側壁６４の内側６５には、シャワー板ガイド１５の側面３３の外側３４に形成された係止突起３８と係止される係止溝６６が形成され、この係止溝６６は、シャワー板ガイド１５の係止突起３８と対応する数と位置に形成されている。さらに、液体をヘッド部５９内に流入させる流入口６８が側壁６４を貫通して形成されている。
【００３９】
ヘッド本体１７の把持部１２は、シャワーヘッド１０を使用するときに使用者が手に持つ部分である。この把持部１２の内部に液体を通過させる通水路１２ａが形成されている。また、把持部１２のヘッド部５９とは反対側の端部には、液体が供給される装置とホース等で接続される接続装置１３ａを備えた接続部１３が形成されている。
【００４０】
なお、ヘッド本体には一般的な節水機構を、例えば、ヘッド部、通水路及び接続部の一部に設けるようにしてもよい。
【００４１】
また、シートパッキン１８は、ヘッド本体１７のヘッド部５９とシャワー板押さえ１６との間に設けられ、図８Ａ及び図８Ｂに示すように、ヘッド部５９の内壁面と略同じ径で形成された円板状のパッキンであり、中心部には、ヘッド部５９に形成された固定軸６１が挿通される挿通口６９が形成されている。このシートパッキン１８は、樹脂又は弾性体で形成される。
【００４２】
次に、図２〜図８を参照しシャワーヘッド１０の組み立てを説明する。シャワーヘッド１０は、まず、シャワー板１４をシャワー板ガイド１５の内部に取り付ける。この取り付けは、シャワー板１４の複数の吐水孔２３の突起状の部分をシャワー板ガイド１５に形成された開口３０から突出するように装着させる。このとき、シャワー板１４の表面２４の接触面２６とシャワー板ガイド１５のガイド部材２９の内面３２と接触して固定される。また、シャワー板ガイド１５の中央に形成された筒状部４２がシャワー板１４の中心開口２８に挿通される。なお、シャワー板ガイド１５の側面のＯリング溝３５には、あらかじめＯリング２１を装着させておく。
【００４３】
次に、シャワー板１４を取り付けたシャワー板ガイド１５にシャワー板押さえ１６をシャワー板１４の吐水孔２３とシャワー板押さえ１６の給水孔４６が対応するように取り付ける。この取り付けは、シャワー板ガイド１５にシャワー板押さえ１６を嵌め込むことで行われ、シャワー板押さえ１６の側面５０に形成された４つの係合突起５１をシャワー板ガイド１５の側面３３の外側３４に形成された係合溝３７に嵌め込むようにして行われる。このとき、係合突起５１には嵌め込む方向にテーパー部５１ａが形成されており、嵌め込みやすくされているとともに、テーパー部５１ａの反対側は直角部５１ｂになっているので、抜け難くされている。なお、シャワー板押さえ１６が正確な位置に嵌め込まれるように、シャワー板押さえ１６の側面５０に形成された嵌合突起５４をシャワー板ガイド１５の側面３３の内側４０に形成された切れ込み４１に合わせて嵌め込むことで、シャワー板１４の吐水孔２３とシャワー板押さえ１６の給水孔４６を正確に合わせて取り付けることが可能となる。また、シャワー板押さえ１６の表面の中央に形成された第１凹み部５６がシャワー板ガイド１５の筒状部４２と嵌合される。
【００４４】
この段階で、シャワー板１４、シャワー板ガイド１５及びシャワー板押さえ１６は一体に組み合わされることとなる。
【００４５】
次に、これらをヘッド本体１７に装着させる。この装着は、まず、ヘッド部５９の内壁面６３を覆うようにシートパッキン１８を設け、その上に、一体となったシャワー板１４、シャワー板ガイド１５及びシャワー板押さえ１６を挿入する。そして、ヘッド部５９の側壁６４の内側６５に形成された係止溝６６と、シャワー板ガイド１５の側面３３の外側３４に形成された係止突起３８を噛み合わせ、必要角度を回動させて装着させる。このとき、シャワー板押さえ１６の裏面４７の当接部５２は、ヘッド部５９の内側の内壁面６３とシートパッキン１８を介して当接することとなるので、シャワー板押さえ１６の当接部５２とヘッド部５９の内壁面６３とは隙間が形成されることなく液密に装着されることとなる。なお、ヘッド部５９の中央の固定軸６１は、シャワー板押さえ１６の第２凹み部５７に嵌合される。また、ヘッド部５９の係止溝６６に形成された出っ張り部６７とシャワー板押さえ１６の係止突起３８に形成された切り欠き部３９（図４Ｅ参照）を掛止させることで、装着が完了したことを使用者に感触で伝えることができると共に、音でも伝えることができ、さらに、抜け止めにもなる。
【００４６】
ヘッド部５９に各構成部品が装着された後、中央のねじ孔６２にねじ１９を挿通させ、ヘッド部５９の固定軸６１に螺号することで完全に固定され、その後、ねじ頭１９ａをキャップ２０で覆うことでシャワーヘッド１０の組み立てが完了する。そして、シャワーヘッド１０の接続部１３の接続装置１３ａと外部の液体供給装置とをホース等で接続される。
【００４７】
次に、シャワーヘッド１０の液体の流れを図９及び図１０を参照して説明する。なお、図１０ではシャワー板押さえのみを図示している。まず、液体は、シャワーヘッド１０の接続部１３に接続された液体供給装置から液体が供給され、把持部１２の内側の通水路１２ａを通り、シャワーヘッド１０のヘッド部５９に形成され流入口６８から吐水部１１に流入される。このとき、液体は、シャワー板押さえ１６の最外周の低く形成された壁部材４９ａとヘッド部５９との隙間から、シャワー板押さえ１６の最外周の導水路４８ａに流れ込む。
【００４８】
次に、シャワー板押さえ１６の最外周の導水路４８ａに流れ込んだ液体は、まず、その最外周の導水路４８ａを満たしつつ貫通孔５５へと進む。貫通孔５５へと進んだ液体は、この貫通孔５５を通り、それぞれの導水路４８へと進み、このそれぞれの導水路４８を液体で満たすこととなる。
【００４９】
導水路４８へと進んだ液体は、シャワー板押さえ１６の給水孔４６を通り、シャワー板１４の吐水孔２３へと進む。この吐水孔２３では、シャワー板押さえ１６の給水孔４６から給水される直後の部分は、径が大きく形成されているが、吐水される部分に近づくにつれて径が小さくなっていくように形成されている。このようにすることで、液体の流速を早い状態で吐水することが可能となる。
【００５０】
次に、実施形態の吐水時のシャワーヘッド内の圧力について図１１を参照して説明する。実施形態のシャワーヘッド内の液体の流れは、ヘッド部５９内に装着されているシャワー板押さえ１６に形成された導水路４８内を進むようにされ、この導水路４８を進む液体が給水孔４６を通り吐水される。このとき、シャワー板押さえ１６、シャワー板１４及びシャワー板ガイド１５に圧力Ｐがかかる。しかし、シャワー板押さえ１６の導水路４８を形成するための壁部材４９の当接部５２は、シートパッキン１８を介してヘッド部５９の内壁面６３と当接しているので、この当接している部分には圧力がかからない領域ＮＰＡとなり、この壁部材４９の当接部５２と対向する部分のシャワー板１４と接触する接触面２６にも圧力がかかることは抑制される。すなわち、従来のシャワー板の全面に圧力がかかっていたものに比べ、格段にシャワー板にかかる圧力を減らすことが可能となる。このときの圧力は、従来に比べ約６０％程度に抑えることができるようになる。
【００５１】
そのため、本実施形態のシャワーヘッドでは、シャワーヘッドの故障や損傷を抑制し、長く使用することができると共に、大きな水圧に耐える構造とする必要もなくなるので、デザインや設計の自由度を増やすことができる。さらに、ヘッド部内部の空間に当接部が形成されることで、ヘッド部内部の空間が小さくなっているため、ヘッド部内部の空間に滞留される水の量を減らすことができ、シャワー止水後にこの滞留された水が流れ続けることを抑制することができる。
【００５２】
なお、本実施形態のシャワー板押さえに形成された導水路は４本であるが、これに限らず４本以上でも以下でもよく、使用するシャワーヘッドの大きさによって変更することができる。また、吐水孔の数も任意に変更可能である。さらに、シャワー板押さえに形成される貫通孔も複数形成することもできる。
【００５３】
また、本実施形態では、シャワー板、シャワー板ガイド及びシャワー板押さえをそれぞれ別の部品として形成していたが、これに限らず、シャワー板、シャワー板ガイド及びシャワー板押さえを１つの部材として一体に形成するようにしてもよい。このようにすることで、さらに部品数を減らすことができるようになる。
【符号の説明】
【００５４】
１０…シャワーヘッド  １１…吐水部  １２…把持部  １２ａ…通水路  １３…接続部  １３ａ…接続装置  １４…シャワー板  １５…シャワー板ガイド  １６…シャワー板押さえ  １７…ヘッド本体  １８…シートパッキン  １９…ねじ  ２０…キャップ  ２１…Ｏリング  ２３…吐水孔  ２６…接触面  ２７…圧着面  ２９…ガイド部材  ３０…開口  ４６…給水孔  ４８、４８ａ、４８ｂ…導水路  ４９、４９ａ壁部材  ５２…当接部  ５５…貫通孔  ５９…ヘッド部  ６１…固定軸  ６３…内壁面  ６８…流入口  
【要約】
【課題】吐水時にシャワーヘッド内に備えられたシャワー板にかかる水圧を緩和する構造を備えたシャワーヘッドを提供する。
【解決手段】複数の吐水孔２３を有するシャワー板１４と、シャワー板１４の吐水孔２３と対応する開口３０が形成され、シャワー板１４の吐水孔２３が開口３０から突出されるシャワー板ガイド１５と、シャワー板１４の吐水孔２３に対応する給水孔４６が形成され、シャワー板１４を押圧し固定するシャワー板押さえ１６と、シャワー板１４、シャワー板ガイド１５及びシャワー板押さえ１６がそれぞれ装着されるヘッド部５９と、ヘッド部５９と一体に形成され内部に通水路１２ａを有する把持部１２と、を有するヘッド本体１７と、を備えたシャワーヘッド１０において、シャワー板押さえ１６は、ヘッド部５９の内壁面６３と当接される当接部５２が形成され、当接部５２以外の部分は、給水孔４６と通水される導水路４８となされている。
【選択図】      図９【図１】
0004708502.tif 000002
【図２】
0004708502.tif 000003
【図３】
0004708502.tif 000004
【図４】
0004708502.tif 000005
【図５】
0004708502.tif 000006
【図６】
0004708502.tif 000007
【図７】
0004708502.tif 000008
【図８】
0004708502.tif 000009
【図９】
0004708502.tif 000010
【図１０】
0004708502.tif 000011
【図１１】
0004708502.tif 000012
【図１２】
0004708502.tif 000013